(57)【要約】      （修正有）【課題】下半身の鍛錬および重量物の持ち上げ作業等の軽減を計る下半身用装着具を提供することを目的とする。【解決手段】伸縮性管内に紐状体を蛇腹状に挿入し、該伸縮性管および紐状体の端部同志を固着させて輪状体を構成し、該輪状体にベルトを設けてなる下半身用装着具。下半身用装着具を用いることによって、姿勢の矯正並びには腹部、腰部、大腿部、脚部及び臀部を鍛えると共に重量物の持ち上げ作業、介護作業等を軽減することができる。【選択図】図４
2018188770.tif 000002
【特許請求の範囲】
【請求項１】
伸縮性管内に紐状体を蛇腹状に挿入し、該伸縮性管および紐状体の端部同志を固着させて輪状体を構成し、該輪状体にベルトを設けることを特徴とする下半身用装着具。
【発明の詳細な説明】
【技術分野】
【０００１】
本発明は、下半身用装着具に係り、さらに詳しくは健康増進、作業軽減に効果的な下半身用装着具に関する。
【背景技術】
【０００２】
従来下半身を鍛える健康器具類としては、バイク、足こぎローラ、バランスボール、ロープ、コルセット、タイツ等種々のものが提案されている。しかしながら、これらの健康器具は一長一短があって満足する器具がないのが現状である。特に腹部、腰部、大腿部、脚部および臀部を同時に鍛錬する器具はなかった。
【発明の概要】
【発明が解決しようとする課題】
【０００３】
本発明者は、そこで腹部、腰部、大腿部、脚部および臀部を同時に鍛錬すると共に重量物の持ち上げ作業、介護作業等をも軽減し得る下半身用装着具について種々研究を重ねた結果本発明を完成するに至った。
【課題を解決するための手段】
【０００４】
すなわち、本発明は、伸縮性管の内に紐状体を蛇腹状に挿入し、該伸縮性管および紐状体の端部同志を固着させて輪状体を構成し、該輪状体にベルトを設けることを特徴とする下半身用装着具である。
【発明の効果】
【０００５】
本発明の下半身用装着具を用いることによって、姿勢の矯正並びに腹部、腰部、大腿部、脚部および臀部を鍛えると共に重量物の持ち上げ作業、介護作業等を軽減することができる。またフィックス性が良く、体の適用サイズ範囲が広く同じ大きさのもので使用でき、長時間装着ができる。さらに万が一下半身用装着具を装着している時に、伸縮性管が破断した場合でも内に紐状体が入っているので飛び散って使用者にけがを負わせることもない。
【図面の簡単な説明】
【０００６】
【図１】紐状体入り伸縮性管の正面図である。
【図２】紐状体端部の結合状態を示した一部拡大正面図である。
【図３】輪状体の斜視図である。
【図４】本発明の下半身用装着具の斜視図である。
【図５】本発明の他の態様を示す下半身用装着具の斜視図である。
【図６】伸縮性管の斜視図である。
【図７】他の態様を示す伸縮性管の斜視図である。
【図８】図４に示す下半身用装着具を装着したときの身体の背面部の装着状態を示す使用状態図である。
【図９】図４に示す下半身用装着具を装着したときの身体の前面部の装着状態を示す使用状態図である。
【図１０】図５に示す下半身用装着具を装着したときの身体の背面部の装着状態を示す使用状態図である。
【図１１】図５に示す下半身用装着具を装着したときの身体の前面部の装着状態を示す使用状態図である。
【発明を実施するための形態】
【０００７】
次に本発明を図面を参照しながら説明をする。
まず伸縮性管１に紐状体２を蛇腹状に挿入する方法について説明する。所定の長さを有する伸縮性管１内に、該伸縮性管１の長さより長い紐状体２を挿通する。次に伸縮性管１の一端を紐状体２と一体となるように接着剤等を用いて封着固定する。次に伸縮性管1と紐状体2とが封着された部位を基点として伸縮性管1を伸ばし、その状態で伸縮性管1の端部を紐状体２と一体となるように固定する。この固定作業が完了したら、伸縮性管1の延伸した状態を開放することによって図１に示すように伸縮性管1の内部に紐状体２を蛇腹状に設け、紐状体２入り伸縮性管3を調製することができる。
【０００８】
次にこの紐状体２入り伸縮性管３の端部における紐状体２の端部同志を適宜の手段を用いて固着する。例えば図２に示すように紐状体２の端部を重ね合わせて、接着剤、テープ４等を用いて固着する。伸縮性管１に挿入された紐状体２の端部を固着した後、次に伸縮性管１の端部同志を接合等により結合させ固着すると図３に示すような紐状体２入り伸縮性管３による輪状体５が調製される。
【０００９】
輪状体５が調製されたら、次に図４に示すように輪状体５に２点支持のベルト６を設ける。このベルト６の長さは所定のものでも良いが、長さが調整できる止め具付きのベルトが好ましい。またベルト６の輪状体５への支持部７も固定してもよいが、遊動状態に設けることが好ましい。
【００１０】
また本発明の下半身用装着具を長時間装着したり、加齢により臀部の盛り上がりが無くなった場合には、図５に示すように臀部に掛けた輪状体５の部分がずれないように、例えばベルト６の支持部７と輪状体５の半円弧の中央部８にズレ防止の固定ベルト９を固定することが好ましい。
この固定ベルト９は長さを調節できるように、長さの調節機能を有する止め具を左右それぞれに１個ずつ設けることが好ましい。
【００１１】
本発明の下半身用装着具に用いられる伸縮性管１の素材としては、生ゴム等のゴム類、伸縮性合成樹脂等が揚げられるが、破断等の現象が少ない特に生ゴムが好適である。また伸縮性管１の形状も図６に示すような丸型の穴口１０を有するものや図７に示すように偏平状の伸縮性管１に長方形の口穴１１を有する等種々の形状のものが使用できる。
【００１２】
使用する紐状体２としては、ロープ等の丸型のものや、リボン型の偏平ベルト等が掲げられる。また紐状体２の素材としては、綿、麻、絹等の天然繊維、ポリアミド系、ポリエステル系、ポリビニルアルコール系、ポリエチレン系、ポリプロピレン系、ポリ塩化ビニリデン系、アラミド系、ポリアリレート系、超高分子ポリエチレン系等の合成繊維が掲げられる。
【００１３】
使用するベルト６としては、丸型のものや、リボン型の偏平ベルト等が掲げられるが、丸型のものが好ましい。またベルト６の素材としては、革および綿、麻、絹等の天然繊維、ポリアミド系、ポリエステル系、ポリビニルアルコール系、ポリエチレン系、ポリプロピレン系、ポリ塩化ビニリデン系、アラミド系、ポリアリレート系、超高分子ポリエチレン系等の合成繊維が掲げられる。
【００１４】
次に本発明の下半身用装着具の使用方法について説明する。
まず図４に示す下半身用装着具の場合は、輪状体５を支持部７の部位で２つ折りにし半円形状にする。次に半円形状にした輪状体５内に身体を入れ、図８に示すように半円形状の輪状体５の一方を腰部に装着し、他方を臀部の下方に掛ける。また身体の前面に位置するベルト６は図９に示すように腰部に装着する。
【００１５】
次に図５に示す下半身用装着具の装着方法について説明する。
まず輪状体５を支持部７の部位で２つ折にして半円形状にする。次に輪状体５と固定ベルト９との間にそれぞれ右足と左足を挿通し、次に輪状体５の中央部８に固定されている半円形状の輪状体５を臀部の下部に引っ掛けるように装着し、他方の半円形状の輪状体５を腰部に装着する。このようにすることによって臀部に装着した輪状体５は固定ベルト９によって常に下方に引っ張られた状態になっているので臀部から抜けることがない。この装着状態を示すと図１０および図１１のような装着状態となる。
【００１６】
本発明の下半身用装着具を下半身に付けて徒歩をしたり、屈伸運動等をすることによって、輪状体５の伸縮作用により腹部、腰部、大腿部、脚部、臀部を鍛えることができる。また重量物等を持つ場合にも、一部分に掛かる力を分散させて減衰されるため、作業の軽減を計ることができる。
【００１７】
また本発明の下半身用装着具を下半身に付けての日常生活等の無意識の運動を行った場合においても、紐状体２入り伸縮性管３による適度な伸びと輪状体５に設けたベルト６の組み合わせにより、保持性に優れズレが少なく、疲れず、姿勢を元に戻す働きによって姿勢の矯正効果が有り、長時間装着していることができる。さらに輪状体５を装着した腰部、臀部およびベルト６の位置する腹部の部位における効果として、腰部、腹部の引き締めおよび臀部のＵＰを計ることができる。
【符号の説明】
【００１８】
１・・・伸縮性管
２・・・紐状体
３・・・紐状体入り伸縮性管
５・・・輪状体
６・・・ベルト
９・・・固定ベルト
【図１】
2018188770.tif 000003
【図２】
2018188770.tif 000004
【図３】
2018188770.tif 000005
【図４】
2018188770.tif 000006
【図５】
2018188770.tif 000007
【図６】
2018188770.tif 000008
【図７】
2018188770.tif 000009
【図８】
2018188770.tif 000010
【図９】
2018188770.tif 000011
【図１０】
2018188770.tif 000012
【図１１】
2018188770.tif 000013